(57)【要約】【課題】ペット用エアコン装置及び該エアコン装置を具有するペットハウスの構造を提供する。【解決手段】  出入り口を具有する本体１、本体内部に冷暖房エアコン２を設置し、二つの流道を作る。冷暖房エアコン２はそれぞれ二つの流道に冷たい、或いは暖かい空気を提供する。また、気流分割バルブ３は本体出口に設置する分流プレイト３０及び分流プレイトに設置する接続パイプ３１を含み、分流プレイト３０は二つの流道に対応し、それぞれ空気供給孔３０１，３０２を設ける。二つの流道内にそれぞれ風力ユニットを設ける。二つの風力ユニット２１０，２２０を介し、冷暖房エアコンで発生する冷たい、或いは暖かい空気を空気供給孔に送り込み、接続パイプ３１を通じて冷たい、或いは暖かい気流を選択することで、有効的にペットハウス内の温度調節の目的に達する。【選択図】  図3
0003132616.tif 000002
【実用新案登録請求の範囲】
【請求項１】
本体、冷暖房エアコン、気流分割バルブ及び第一、第二流道を含み、
該本体内部に収納空間を具有し、該収納空間は開放式であり、入り口と出口を具有し、
該冷暖房エアコンを該収納空間内に設置し、該収納空間を第一流道及び第二流道に隔て、それぞれ該第一、第二流道に冷たい、或いは暖かい空気を提供し、
気流分割バルブは該収納空間の出口に設けた分流プレイト及び該分流プレイトに設けた接続パイプを含み、且つ、該分流プレイトは第一、第二流道にそれぞれ第一空気供給孔及び第二空気供給孔を設け、
該第一、第二流道内にそれぞれ第一風力ユニット及び第二風力ユニットを設け、該第一、第二風力ユニットを介して形成する気流が、それぞれ該冷暖房エアコンによって発生する冷たい、或いは暖かい空気を該第一、第二空気供給孔に送り、且つ該接続パイプを通じて、冷気、暖気流をペットハウス内に送り込むことを特徴とするペット用エアコン装置。
【請求項２】
前記本体は台座及び台座頂上にある上蓋を設置することで、収納空間は該台座内部に形成することを特徴とする請求項1記載のペット用エアコン装置。
【請求項３】
前記本体の上方に取っ手を設けることを特徴とする請求項1記載のペット用エアコン装置。
【請求項４】
前記本体下方に複数の足を設けることを特徴とする請求項1記載のペット用エアコン装置。
【請求項５】
前記本体の収納空間の下方に集水槽を具有し、且つ該本体下方に該集水槽と相通じる排水口を設けることを特徴とする請求項1記載のペット用エアコン装置。
【請求項６】
該集水槽の上方に分割プレイトを設け、且つ該分割プレイトの上に漏水孔を設けることを特徴とする請求項5記載のペット用エアコン装置。
【請求項７】
該冷暖房エアコンはクーリングモジュール、及びそれぞれクーリングモジュールの冷たい、暖かい両面に貼り付ける第一導温体及び第二導温体を含み、且つ、該第一、第二導温体はそれぞれ該第一、第二流道内にあることを特徴とする請求項1記載のペット用エアコン装置。
【請求項８】
該第一、第二導温体は放熱器であることを特徴とする請求項7記載のペット用エアコン装置。
【請求項９】
該気流分割バルブの分流プレイトは該接続パイプの片端と接続し、該接続パイプが該分流プレイトの上で回転できるようにし、該接続パイプを回転することを介し、パイプ口がそれぞれ該第一或いは第二空気供給孔と相通じることを特徴とする請求項1記載のペット用エアコン装置。
【請求項１０】
該分流プレイトに中心接続軸を設け、該接続パイプのパイプ口に、該接続軸と接続する遮断プレイトを設け、且つ、該遮断プレイトにそれぞれ第一或いは第二空気供給孔と相通じる空気を出す穴を設けることを特徴とする請求項9記載のペット用エアコン装置。
【請求項１１】
該気流バルブの分流プレイトに接続部を設け、バルブプレイトの片端と接続し、該バルブプレイトは該接続パイプ内に位置し、且つ該分流プレイトの上で動かし、片端を該接続口の内壁にあてがうことで、該接続パイプ内を二つの空間に区切り、且つ該接続パイプと該収納空間の出口が互いに対応し、且つ該接続パイプの接続口の端に、それぞれ第一、第二空気供給孔に対応するため、それぞれ排気口を設け、該排気口の上に蓋を設置することを特徴とする請求項1記載のペット用エアコン装置。
【請求項１２】
該気流分割バルブは二本の接続パイプを含み、且つ該二本の接続パイプはそれぞれ第一、第二空気供給孔と互いに対応することを特徴とする請求項1記載のペット用エアコン装置。
【請求項１３】
該第一、第二風力ユニットはファンであることを特徴とする請求項1記載のペット用エアコン装置。
【請求項１４】
ペットハウス及び本体、冷暖房エアコン、気流分割バルブを含み、
該ペットハウスは空気の入り口と出口を具有し、
本体の内部に収納空間を具有し、該収納空間は開放式であり、入り口と出口を具有し、
冷暖房エアコンを該収納空間内に設け、該収納空間エリアを第一流道及び第二流道を作り出し、それぞれ該第一、第二流道に冷たい、或いは暖かい空気を提供し、且つ該第一、第二流道内にそれぞれ第一風力ユニット及び第二風力ユニットを設け、
気流分割バルブは該収納空間の出口に設置する分流プレイト及び該分流プレイトに設置する接続パイプを含み、且つ分流プレイトは第一、第二流道に対応し、それぞれ第一、及び第二空気供給孔を設け、
該ペットハウスの空気の入り口から該接続パイプの間に気流導管を連結し、該ペットハウスの空気の出口から該収納空間の入り口までには別の気流導管を連結し、気流循環を介し、該冷暖房エアコンの熱交換効率を上げることを特徴とするエアコン装置のペットハウス。
【考案の詳細な説明】
【技術分野】
【０００１】
本考案はエアコン装置の構造に関し、特にペットハウス用のエアコン装置の構造に関する。
【背景技術】
【０００２】
人類の文明社会が日増しに進歩し、ペットを飼育するのも生活するうえでの安らぎと娯楽となっている。生活レベルが上昇しているため、自分たちの生活クォリティのみならず、ペットたちの居住環境にも気を配るようになった。特に気候の変化や、日夜の温度差が大きくなる季節、人々はエアコン装置を介して、自分たちの居住環境の温度を調節している。それだけに留まらず、飼育しているペットの、ペットハウス内の環境温度にも注目するようになった。
【０００３】
ペットの居住環境温度を改善する技術について、公知の実用新案第M285902号『エアコン装置を具有するペットボックス』がある。しかし、従来技術ようなペットハウス内に応用するエアコン装置のほとんどは、冷気を送り込むものであり、冷気を発生させる方法はコンプレッサーを主に利用している。このようなペットハウスを屋外に設置し、コンプレッサーの騒音が屋内にいる人々の迷惑にならなくても、ペットにとってはダメージのひとつである。また、暖房がなく、冷気のみを送りこむため、夏しか使用できない。
【０００４】
公知の実用新案第M289965号『温度を下げ、良好な飼育環境を提供するペットハウス』では、クーリングモジュールが温度調節の機能を持つが、同じく冷気のみ発生させており、クーリングモジュールの同時に冷気と暖気を発生する特性を運用していないため、なおも改善する必要があった。
【特許文献１】台湾実用新案第M285902号公報
【特許文献２】台湾実用新案第M289965号
【考案の開示】
【考案が解決しようとする課題】
【０００５】
前記公知構造の欠点を解決するため、本考案はペット用エアコン装置及び該エアコン装置を具有するペットハウスを提供し、該エアコン装置は冷暖房両用のものであり、バルブの切り替えにより、ペットハウスに冷気あるいは暖気を送り込む構造を提供することを主な課題とする。
【課題を解決するための手段】
【０００６】
前記課題を解決するために、本考案はペット用エアコン装置を提供するものであり、本体及び収納空間、冷暖房エアコン装置などで構成されたものである。本体の内部に収納空間を具有し、該収納空間は開放タイプであり、入り口と出口を具有する。収納空間内に冷暖房エアコンを設置し、第一流道と第二流道に分割し、冷暖房エアコンをそれぞれ第一、第二流道に冷気暖気を送り込む。また、気流分割バルブは収納空間の出口に設置する分流プレイト及び分流プレイトに設置する接続パイプを含み、分流プレイトは第一、第二の流道に対応して、それぞれ第一と第二の空気供給孔を設ける。第一と第二の流道内にそれぞれ第一風力ユニット及び第二風力ユニットを設ける。第一、第二の風力ユニットによって形成する気流を介し、冷暖房エアコンで発生する冷たい、或いは暖かい空気を第一、第二空気供給孔に送り込み、接続パイプを通じて冷たい、或いは暖かい気流を選択することで、有効的にペットハウス内の温度調節の目的に達する。
【０００７】
前記課題を達成するために、本考案の提供するエアコン装置を具有するペットハウスは、上述のエアコン装置を、ひとつの気流導管を利用し、ペットハウスの空気進入口から接続パイプの間に連結し、更にもうひとつの気流導管を利用し、ペットハウスの空気出口から収納空間入り口まで連結する。そうすることで、気流を循環させることで、冷暖房エアコンの熱交換の効率を上げる。
【考案の効果】
【０００８】
本考案はクーリングモジュールの特性を生かし、エアコン装置が冷房のみならず、暖房を使用することができるようになり、バルブを切り替えるだけで、ペットハウスを一年中快適な温度に調節する。
【考案を実施するための最良の形態】
【０００９】
本考案によるペット用エアコン装置及び該エアコン装置を具有するペットハウスの構造を明確に示すために図に沿って詳細な説明を行うが、これにより本考案の保護範囲が限定されるものではない。
【００１０】
図1及び図2、図3が示すのは、本考案のエアコン装置第1実施例の立体分解図及び、立体組立図、断面略図である。本考案はペット用エアコン装置を提供し、該装置はペットハウス4(図6を参照)内部の温度調節機能を持ち、冷気あるいは暖気を送り込むことで、適切な温度に調節し、ペットたちに快適な環境温度を与える。該装置は本体1、冷暖房エアコン2及び気流分割バルブ3を含む。
【００１１】
該本体1は長型の中空ボックスであり、断面が「U」字型をした台座10及び該台座10の頂部の上蓋11によって組立てている。該台座10の内部に収納空間100を具有し、上述の冷暖房エアコン2をその中に設置する。該台座10の両端は開放し、前記収納空間100と相通じているため、それぞれ該収納空間100の入り口及び出口となる。この他、該台座10の下方に数本の足13を設置することで、本体1を支える。該上蓋11の上方に取っ手110を設置し、該エアコン装置を持ち運ぶ際に便利である。
【００１２】
該冷暖房エアコン2を前記本体1の収納空間100の内部に設置し、該収納空間100の内部を第一流道101及び第二流道102(図3を参照)に隔てる。且つ該第一流道、第二流道101、102はいずれも該収納空間100の入り口及び出口と相通じているため、第一、第二流道101、102を実質上平行した二つの流道に形成する。該冷暖房エアコン2は少なくとも一枚のクーリングモジュール20を具有し、それぞれ冷、暖気両面を第一導温体21、第二導温体22に貼り付けて組合わせている。該第一、第二導温体21、22は放熱装置であり、それぞれ第一、第二流道101、102の内部に設置し、該クーリングモジュール20を介し、第一、第二導温体21、22に冷気と暖気の空気を送り込む。例えば第一導温体21をクーリングモジュール2−の熱い面と接触し、第二導温体22はクーリングモジュール21の冷たい面と接触させることで、クーリングモジュール20の発生する冷たい、暖かい空気をそれぞれ第一、第二導温体21、22を通じて第一、第二流道101、102に流れ込む。
【００１３】
上で述べたように、該冷暖房エアコン2の収納空間100の第一、第二流道101、102の内部に更にそれぞれ第一風力ユニット210及び第二風力ユニット220を設置する。放熱に必要なファンである該第一、第二風力ユニット210、220を収納空間100の出口に近い場所に位置することで、第一、第二流道101、102内の空気を流動させ、本体1の外界の空気を収納空間100の入り口より進入させる(図3を参照)。且つそれぞれ第一、第二流道101、102を通り、内部に充満する冷たい、暖かい空気をそれぞれ冷、暖気気流に形成した後、収納空間100の出口に送る。更に、第一、第二風力ユニット210、220の間に仕切りプレイト121を設置し、該仕切りプレイト121により、冷暖房エアコン2の収納空間100を該出口処で第一、第二流道101、102に分割する。
【００１４】
該気流分割バルブ3を上述本体1の収納空間100の出口処に設置し、気流導管400を接続して、冷気あるいは暖気をペットハウス4の内部に送る(図6参照)。第1の実施例では、該気流分割バルブ3はそれぞれ分流プレイト30及び該分流プレイト30の上に接続し、回転できる接続パイプ31を含み、該分流プレイト30は収納空間100の第一、第二流道101、102に対応して、第一空気供給孔301及び第二空気供給孔302を設置する。且つ該第一、第二空気供給孔301、302の間に中心接続軸300を設置する。また、該接続パイプ31の片端に遮断プレイト310を設置し、もう片端は開口状を呈し、接続口312を具有する。該遮断プレイト310は分流プレイト30を接続軸300で接続し、該遮断プレイト310の上に空気の出口311を設け、該接続パイプ31を分流プレイト30と接続した際、該空気の出口311は少なくとも第一、第二空気供給孔301、302のうちの一つと重なる(図5を参照)。
【００１５】
図3及び図6が示すのは、該冷暖房エアコン2は同時に冷たい、暖かい空気を作り出すことができ、それぞれ第一、第二導温体21、22を介し、第一、第二流道101、102内に散布する。更に第一、第二風力ユニット210、220を通じて、第一、第二流道101、102内にある冷暖気を気流に形成してから、気流分割バルブ3の第一、第二空気供給孔301、302に送り込む。該気流分割バルブ3の接続口312はペットハウス4の気流導管400の片端と連結し、もう片端はペットハウス4の空気の入り口40と連結する。そうすることで、第一、第二流道101、102のうちの冷気或いは暖気をペットハウス4の内部に送り込み、温度を調節する目的に達する。もう一方の暖気或いは冷気気流は外界へ排出する。
【００１６】
図4及び図5が示すのは、冷気流を暖気流に切り替える、或いは暖気流を冷気流に切り替える場合は、気流分割バルブ3の接続パイプ31を別のバルブ位置に回すだけで、容易く冷気暖気流の切り替えが行われる、冷暖房両用のエアコン装置である。
【００１７】
図3が示すのは、本考案は該本体1の収納空間100の下方に設置する仕切りプレイト12によって集水槽103を形成する。該仕切りプレイト12の上に濾水孔120を開け、第二流道102内部に冷気による水滴が結成されたとき、仕切りプレイト12の上に設置する漏水孔120を通じて該集水槽103の中に流入する。同時に台座10の下方に該集水槽103と相通じる排水口104を設置することで、溜まった水を排出する。
【００１８】
図7が示すのは、有効的に気流の循環を利用するため、該ペットハウス4に空気の出口41を設ける。また、別の気流導管401を該エアコン装置の収納空間100の入り口と連結することで、該エアコン装置より送り込まれる冷気或いは暖気気流を再度本体1の内部に送られる。直接比較的低温或いは比較的高温の空気を利用して熱交換を行えば、熱交換の効率を増すことができる。
【００１９】
図8が示すのは、本考案のエアコン装置第2実施例の断面略図である。該気流分割バルブ3の分割プレイト30に接続部303を設け、該分流プレイト30の上で上下に振るバルブプレイト313の片端と接続する。該バルブプレイト313は接続パイプ31の内部に位置し、もう片端は接続口312の内壁と接触し、該接続パイプ31の内部を二つの空間に区切る。該接続パイプ31は収納空間100の出口と対応し、相通するため、第一、第二の空気供給孔301、302より排出される気流はそれぞれ接続パイプ12の二つの空間内に送られ、接続パイプ31の接続口312の該端がそれぞれ対応する第一、第二空気供給孔301、302にそれぞれひとつの排気口を設け、各排気口314の上に蓋315を設ける。よって、該バルブプレイト313がその位置を調整することを介し、対応する排気口314を開け、別の排気口314を閉じさせることで、気流は接続口312より排出される。
【００２０】
図9が示すのは、本考案のエアコン装置の第3実施例の断面略図である。該気流分割バルブ3は二つの接続パイプ32、33を含み、該二つの接続パイプ32、33はそれぞれ第一、第二空気供給孔301、302と対応することで、二つの接続パイプ32、33のうち一つがペットハウス4と接続し、ペットハウス4に冷気或いは暖気を送り込む。もう一方の提供する気流は直接外界の大気に排出される。逆の場合も同じである。
【００２１】
以上の実施例による本考案の詳細な説明は本考案の範囲を制限するものではない。本考案の構想に基づく各種の変化や修正、応用及び形を変更するなど、同じ効果が生まれる場合は、全て本考案の権利範囲とする。
【図面の簡単な説明】
【００２２】
【図１】本考案におけるエアコン装置第1実施例の立体分解図である。
【図２】本考案におけるエアコン装置第1実施例の立体組立図である。
【図３】本考案におけるエアコン装置第1実施例の断面略図である。
【図４】本考案におけるエアコン装置第1実施例の気流分割バルブ動作略図(一)である。
【図５】本考案におけるエアコン装置第1実施例の気流分割バルブ動作略図(二)である。
【図６】本考案におけるエアコン装置とペットハウスの使用状態略図である。
【図７】本考案におけるエアコン装置とペットハウスの別の使用状態略図である。
【図８】本考案におけるエアコン装置第2実施例の断面略図である。
【図９】本考案におけるエアコン装置第3実施例の立体組立図である。
【符号の説明】
【００２３】
1 本体  
10 台座    
100 収納空間    
101 第1流道    
102 第2流道    
103 集水槽    
104 排水口    
11 上蓋    
110 取っ手  
12 仕切りプレイト  
120 漏水孔  
121 仕切りプレイト
13 足
2 冷房暖房エアコン機  
20 クーリングモジュール  
21 第一導温体  
210 第一風力ユニット  
22 第二導温体  
220 第二風力ユニット  
3 気流分割バルブ  
30 分流プレイト  
300 接続軸  
301 第一空気供給孔  
302 第二空気供給孔
303 接続部分  
31 接続パイプ
310 遮断プレイト  
311 空気の出口  
312 接続口  
313 バルブプレイト  
314 排気口  
315 蓋  
4 ペットハウス  
40 空気の入り口  
400 気流の導管  
401 気流の導管  
41  空気の出口  
【図１】
0003132616.tif 000003
【図２】
0003132616.tif 000004
【図３】
0003132616.tif 000005
【図４】
0003132616.tif 000006
【図５】
0003132616.tif 000007
【図６】
0003132616.tif 000008
【図７】
0003132616.tif 000009
【図８】
0003132616.tif 000010
【図９】
0003132616.tif 000011